(57)【特許請求の範囲】
【請求項１】
複数のデータ・ストリームを含むデジタル・データ・ソースであって、前記データ・ストリームのそれぞれは、標準品位テレビ信号および高品位テレビ信号のうちの１つを表し、前記データ・ストリームのそれぞれは、可視の復号アーティファクトが実質的にないイメージを生成するように全解像度で復号され、または、可視の復号アーティファクトを含むイメージを生成するように部分解像度で復号することができるように符号化されている、デジタル・データ・ソースと、
前記デジタル・データ・ソースに結合され、同時に２つの高品位テレビ信号を全復号解像度で復号するために必要とされる復号帯域幅より少ない最大復号帯域幅を有する復号器と、
前記復号器に結合され、ユーザ入力に応答して、ピクチャ・イン・ピクチャを使用せずに同時に復号されたデータ・ストリームから２つのデータ・ストリームを選択し、両方のデータ・ストリームが高品位テレビ信号を表す場合、前記２つのそれぞれのデータ・ストリームのうちの１つを部分解像度で復号するように指定するためのユーザ入力を要求するコントローラと、
第１の出力端子及び第２の出力端子であって、前記第１の出力端子及び前記第２の出力端子はそれぞれ、同時に復号された第１のデータ・ストリーム及び同時に復号された第２のデータ・ストリームのうちの一方を、独立に、及び交換的に、同時に復号された第１のデータ・ストリーム及び同時に復号された第２のデータ・ストリームに関して後に時多重せずに出力することを可能にするように構成されている、第１の出力端子及び第２の出力端子と、
同時に復号された第１のデータ・ストリーム及び同時に復号された第２のデータ・ストリームを表示デバイス又はサンプルレートコンバータのうちの少なくとも１つに結合するためのスイッチと
を備え、
前記第１の出力端子及び前記第２の出力端子の一方は、記録ビデオ信号を取り出すことができる記録信号出力端子を備え、
前記表示デバイスは、復号されたテレビ信号によって表されたイメージを表示することができ、
前記復号器は、前記デジタル・データ・ソースと前記表示デバイスと前記記録信号出力端子との間に結合されることを特徴とするテレビジョン受信器。
【請求項２】
前記コントローラのコントロール下でイメージを表示することができる表示デバイスをさらに含み、
前記コントローラは、選択されたデータ・ストリームのうち１つを前記ユーザに指示させるためのビジュアル・キューを前記表示デバイスに表示させて、その後、ユーザ入力に応答して、指示されたデータ・ストリームを部分解像度で前記復号器に復号させることを特徴とする請求項１に記載のテレビジョン受信器。
【請求項３】
前記コントローラは、前記ユーザ入力に応答して、前記指示されたデータ・ストリームを部分解像度で復号させるように指定する、または前記選択されたデータ・ストリームのうち他方を指示するビジュアル・キューを表示させることを特徴とする請求項２に記載のテレビジョン受信器。
【請求項４】
前記コントローラは、前記表示デバイスに、前記選択されたデータ・ストリーム内の前記テレビ信号によって表された各イメージを表示させ、かつ前記ビジュアル・キューを、ボックスとして、前記指示されたデータ・ストリームによって表された前記イメージの周囲に生成させることを特徴とする請求項２に記載のテレビジョン受信器。
【請求項５】
前記ボックスは、肉太の黒いボックス（bold black box）であることを特徴とする請求項４に記載のテレビジョン受信器。
【請求項６】
前記コントローラは、前記表示デバイスに確認イメージを生成させ、前記指示されたデータ・ストリームを部分解像度で復号することの確認を前記ユーザに要求することを特徴とする請求項２に記載のテレビジョン受信器。
【請求項７】
前記コントローラは、前記表示デバイスに、前記デジタル・データ内の前記複数のデータ・ストリームにおけるテレビ信号のスケジュールの少なくとも一部を表示させ、かつ前記指示されたデータ・ストリームを表す前記テレビ信号のスケジュールの前記一部における位置を強調表示することによってビジュアル・キューを生成させ、ユーザ入力に応答して、前記指示されたデータ・ストリームを部分解像度で復号させるように指定することを特徴とする請求項２に記載のテレビジョン受信器。
【請求項８】
前記コントローラは、前記ユーザ入力に応答して、前記テレビ信号のスケジュールの前記一部における異なる位置を強調表示して前記指示されたデータ・ストリームを表し、または、ビジュアル・キューを表示して、前記テレビ信号のスケジュールの前記一部における異なる位置を指示して前記指示されたデータ・ストリームを表すことを特徴とする請求項７に記載のテレビジョン受信器。
【請求項９】
前記コントローラは、前記表示デバイスに、前記ビジュアル・キューを、前記テレビ信号のスケジュールのテーブル表示（tabular display）として表示させ、それにおいて各信号が１つのエントリを前記テーブルにおいて占有し、前記指示されたデータ・ストリームを示す前記エントリは強調表示されることを特徴とする請求項７に記載のテレビジョン受信器。
【請求項１０】
前記コントローラは、前記表示デバイスに確認イメージを生成させ、前記指示されたデータ・ストリームを部分解像度で復号することの確認を前記ユーザに要求することを特徴とする請求項７に記載のテレビジョン受信器。
【請求項１１】
前記コントローラは、ユーザ入力に応答して、前記復号器に、選択されたデータ・ストリームのうち第１のものを全解像度で復号させて、イメージを前記表示デバイスに提供させることを特徴とする請求項１に記載のテレビジョン受信器。
【請求項１２】
前記コントローラは、ユーザ入力に応答して、前記復号器に、同時に前記選択されたデータ・ストリームのうち前記第２のものを部分解像度で復号させて、イメージを前記表示デバイスに提供させ、前記選択されたデータ・ストリームのうち前記第１のものによって表された前記イメージはメイン・イメージを形成し、前記選択されたデータ・ストリームのうち前記第２のものによって表された前記イメージはサブ・イメージを形成する、ことを特徴とする請求項１１に記載のテレビジョン受信器。
【請求項１３】
前記コントローラは、ユーザ入力に応答して、前記選択されたデータ・ストリームのうち１つを指示し、前記指示されたデータ・ストリームによって表されたテレビ信号を前記記録信号出力端子に提供することを特徴とする、請求項１２に記載のテレビジョン受信器。
【請求項１４】
前記コントローラは、前記表示デバイスに、ビジュアル・キューを、ボックスとして、前記指示されたデータ・ストリームによって表された前記イメージの周囲に生成させることを特徴とする請求項１３に記載のテレビジョン受信器。
【請求項１５】
前記コントローラは、前記表示デバイスに、前記指示されたデータ・ストリームを全解像度で復号するか部分解像度で復号するかについての入力を前記ユーザに要求するイメージを表示させ、ユーザ入力に応答して、前記復号器に、前記指示されたデータ・ストリームを、前記ユーザ入力によって指定された前記解像度で復号させることを特徴とする請求項１３に記載のテレビジョン受信器。
【請求項１６】
前記コントローラは、前記表示デバイスに、前記指定された解像度を指示するイメージを表示させ、かつ確認するユーザ入力を要求することを特徴とする請求項１５に記載のテレビジョン受信器。
【請求項１７】
前記ユーザ入力が前記指示されたデータ・ストリームを全解像度で復号すると指定した場合、前記コントローラは、前記復号器に、前記指示されたデータ・ストリームを全解像度で復号させ、前記指示され復号されたデータ・ストリームによって表された前記テレビ信号を前記記録信号出力端子に供給し、高品位テレビ番組を表すデータ・ストリームが前記表示デバイス上に表示されないように制限することを特徴とする請求項１５に記載のテレビジョン受信器。
【請求項１８】
前記選択されたデータ・ストリームのうち他方が高品位テレビ信号を表す場合、前記コントローラが前記復号器に、前記選択されたデータ・ストリームのうち前記他方を部分解像度で復号させることを特徴とする請求項１７に記載のテレビジョン受信器。
【請求項１９】
前記コントローラは、ユーザ入力に応答して、高品位テレビ信号を前記表示デバイス上に表示するという要求を無視することを特徴とする請求項１７に記載のテレビジョン受信器。
【請求項２０】
前記コントローラは、高品位テレビ信号を前記表示デバイス上に表示することを要求するユーザ入力を受信した場合、前記コントローラが前記表示デバイスに、それが許可されないことを指示するイメージを表示させることを特徴とする請求項１７に記載のテレビジョン受信器。
【請求項２１】
前記コントローラは、前記表示デバイスに、黒いスクリーンのイメージを表示させることを特徴とする請求項２０に記載のテレビジョン受信器。
【請求項２２】
前記コントローラは、前記表示デバイスに、前記復号器が前記記録信号出力端子に対して現在データ・ストリームを全解像度で復号中であることを前記ユーザに通知する、前記黒いスクリーンの上に表示される情報をさらに含むイメージを表示させることを特徴とする請求項２１に記載のテレビジョン受信器。
【請求項２３】
前記コントローラは、さらに前記表示デバイスに、前記記録信号出力端子に対してデータ・ストリームを全解像度で復号することを停止させ、かつ前記要求された高品位テレビ信号を前記表示デバイス上に表示させるかどうかを決定するユーザ入力を要求するイメージを表示させ、
ユーザ入力が、前記記録信号出力端子に対して前記データ・ストリームを全解像度で復号することを停止するべきである、と指定した場合、前記コントローラは、前記復号器に、前記高品位テレビ信号を前記表示デバイスに対して部分解像度で復号させ、かつ同時に、前記要求されたテレビ番組を全解像度で、前記表示デバイス上に表示するために復号させることを特徴とする請求項２２に記載のテレビジョン受信器。
【請求項２４】
前記コントローラは、前記表示デバイスに、前記要求されたユーザ入力の確認を要求するイメージを表示させることを特徴とする請求項２３に記載のテレビジョン受信器。
【請求項２５】
前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、ピクチャ・イン・ピクチャのユーザ入力でないことを特徴とする請求項１に記載のテレビジョン受信器。
【請求項２６】
前記データ・ストリーム中の２つのそれぞれのデータ・ストリームを選択するのに使用される前記ユーザ入力、および前記２つのそれぞれのデータ・ストリームのうち一方を部分解像度で復号するように指定するユーザ入力は、共に、前記データ・ストリーム中の２つのそれぞれのデータ・ストリームの全解像度表示に向けられることを特徴とする請求項１に記載のテレビジョン受信器。
【発明の詳細な説明】
【０００１】
（発明の分野）
本発明は、そのいくつかがビデオ信号、特に符号化された高品位（ＨＤ）ビデオ信号を表す複数の時多重データ・ストリーム（time multiplexed data streams）を含むデジタル・データ、を処理し、たとえば記録用に、ピクチャ・イン・ピクチャ（ＰＩＰ）または他の低減された解像度用途の画像記録生成用に、適切な、復号されたビデオ信号を導出するためのシステムおよびユーザ・インターフェースに関する。
【０００２】
（従来技術の説明）
テレビ受信器は、１次テレビ・チャンネルから導出された相対的に大きい映像を表示中に、同時に、２次テレビ・チャンネルから導出されたピクチャ・イン・ピクチャ（ＰＩＰ）など、小さいサブ・イメージを表示することもできる。高品位テレビ（ＨＤＴＶ）受信器では、大きい映像を、高品位ソースから導出することができ、対応する高い視覚的解像度により表示することができる。しかし、ＰＩＰ（画面内画面の大きさは）は小さく、視聴者は本来的に高品位ＰＩＰのより高品位の成分を見分けることができないので、高品位ＰＩＰ表示を提供する必要はない。視聴者は、また時として、テレビ信号を記録することを望む。標準のアナログ・ビデオ・カセット・レコーダ（ＶＣＲ）は、ＨＤＴＶ信号をそれらの全解像度で記録することができない。したがって、ＨＤＴＶチャンネルを標準のＶＣＲ上に記録することができるようにするに当たって、これをより低い解像度、たとえばＮＴＳＣフォーマットのビデオ信号に変換しなければならない。そうして始めて、このより低い解像度の信号をＶＣＲに供給することができる。
【０００３】
デジタル・テレビ信号配信システムでは、複数のデジタル・データ・ストリームが、それぞれ各ビデオ信号を表しており、これらが共に、知られている方法で時多重され、受信器に送信される。複数の各データ・ストリーム内のデジタル・データは、ＭＰＥＧ符合化など、知られている符号化方式に従って符号化され、かつ高度に圧縮され、これらを復号して、それによって表されるビデオ信号を再生成しなければならない。知られているＨＤＴＶ受信器は、相対的に複雑でコストのかかる復号器を含み、これは受信された符号化されたＨＤビデオ信号をリアル・タイムで復号して、受信器において高品位表示デバイスのための高品位ビデオ信号を再生するためのＩＳＯ１３８１８−２規格に準拠している。この復号器は、ビデオ信号を表すデータ・ストリームで送信されたデータすべてを使用して、送信されたイメージを表す高品位ビデオ信号を再生成する。しかし、上述のように、より低い解像度ビデオ信号が、ＰＩＰおよび／またはＶＣＲのために生成される。このプロセスは２つのステップを含む。第１に、デジタル・データ・ストリームが、そのデータ・ストリームによって表されたビデオ信号に復号される。第２に、このビデオ信号が、たとえばＮＴＳＣなど、より低い解像度のビデオ・フォーマットにサンプル・レート変換される。
【０００４】
ＰＩＰおよび／またはＶＣＲビデオ信号を提供するため、知られているＨＤＴＶ受信器はまた、第２の、より低い解像度の、より単純かつよりコストのかからない復号器を含み、これもＩＳＯ１３８１８−２規格に準拠している。しかし、この復号器は、そのビデオ信号を表すデータ・ストリームにおいて送信されたデータの一部のみを使用して、送信されたイメージを表す低品位ビデオ信号を再生成する。したがって、このビデオ信号は場合によっては、可視の好ましくないアーティファクトを含むイメージを表す。ＰＩＰイメージでは、これは問題ではない。というのは、ＰＩＰイメージの小さいサイズにより、このようなアーティファクトが実際には視聴者に不可視となるからである。しかし、記録かつ再生されるべきイメージは、全サイズで表示される可能性がもっとも高く、これらのアーティファクトが可視のまま残り、不愉快であるかもしれない。高品位ＴＶ番組が選択されて記録される場合、低解像度ビデオ信号をどのように生成するかについての選択が存在する。第１に、高品位ビデオ・データを最初に、低解像度復号器を使用して復号することができる。これにより、上述のように、アーティファクトを有する低解像度ビデオ信号が生成される。次いで、この低解像度信号が、たとえばＮＴＳＣなど、低解像度のフォーマットにスキャン・レート変換（scan-rate-converted）される。別法として、高解像度データを最初に、高解像度復号器を使用して復号することができる。これにより、アーティファクトのない高解像度ビデオ信号が生成される。次いで、この高解像度信号が、たとえばＮＴＳＣなど、低解像度のフォーマットにスキャン・レート変換される。
【０００５】
２つの復号器を含む受信器は、相対的にコストがかかる。他の開発は、単一の復号器を２つのビデオ・データ・ストリームによって「共有」することができる構成に至っている。時多重されたデータ・ストリームから多数のデータ・ストリームを復号できるように時多重された復号器が開発された。このような復号器はデータ・ストリーム内の複数のビデオ信号のうち２つを表す２つの出力信号を独立に生成する。しかし、実際的な単一の復号器は、同時に２つのＨＤＴＶ信号を復号するように経済的な方法で構築することができない。その代わりに、このような復号器は単一のＨＤＴＶ信号、およびより低い解像度で復号された第２の信号を復号することができる。
【０００６】
表示および／または記録のために多数のイメージを同時に処理することができる復号器ユニットを使用するＨＤＴＶ（または他のデジタルＴＶ）受信器の動作に適切なユーザ・インターフェースを提供する際に、いくつかの問題が生じる。このような問題は、ユーザが使用可能な処理オプションの数の増加、復号器の帯域幅の制約、および、異なるシステムおよび周辺装置の構成（たとえば、異なる格納および再生ユニット）がＨＤＴＶエンターテインメント・システムにおいて使用される可能性があるために生じる。これらの問題および派生的な問題が、本発明によるシステムによって対処される。
【０００７】
（発明の概要）
本発明の原理によれば、テレビ受信器は、複数のデータ・ストリームを含むデジタル・データのソースを含み、データ・ストリームはそれぞれ、標準品位テレビ信号および高品位テレビ信号のうち１つを表し、また、それを全解像度で復号して、可視の復号アーティファクトが実質的にないイメージを生成することができるか、あるいは、部分解像度で復号して、場合によっては可視の復号アーティファクトを含むイメージを生成することができるような方法で復号される。復号器はデジタル・データ・ソースに結合され、同時に２つの高品位テレビ信号を全復号解像度で復号するために必要とされたものより少ない最大復号帯域幅を有する。コントローラは復号器に結合され、これはユーザ入力に応答して２つの各データ・ストリームを選択するため、かつ両方が高品位テレビ信号を表す場合、ユーザ入力を、２つの各データ・ストリームのうち一方を部分解像度で復号するように指定するために要求するためのものである。
【０００８】
本発明によるテレビ受信器により、ユーザは、記録用に望まれた信号が部分解像度で復号されるか、あるいは全解像度で復号されるかを選択することができる。
【０００９】
（好ましい実施形態の説明）
図１は、本発明の原理によるＨＤＴＶ受信器の一部のブロック図である。図１では、本発明を理解するために必要な要素のみを例示する。ＨＤＴＶ受信器において必要な多数の他の要素が例示されていないことは、当業者には理解されよう。また、それらの要素が何であるか、それらをどのように設計かつ実施するか、およびそれらの他の要素がどのように、例示した要素と相互接続されるかは、当業者には理解されよう。図１では、入力端子５がデジタル・データのソース（図示せず）に結合され、これは複数の時多重されたデータ・ストリームを含み、それぞれがビデオ信号を表す。これらのデータ・ストリームのいくつかは高品位ビデオ・イメージを表すことができ、他のものは標準品位ビデオ・イメージを表すことができる。例示した実施形態では、デジタル・データにおけるビデオ信号データ・ストリームが、知られているＭＰＥＧ符号化を使用して符号化されるが、他の符号化技術を使用することができる。他の信号を表す他のデータ・ストリームもこのデジタル・データに含めることができる。たとえば、１つまたは複数のデータ・ストリームが、ビデオ信号データ・ストリームに対応するオーディオ信号を表すか、あるいはデジタル・データ内で多重化された各テレビ番組の内容に関係する情報を含む番組ガイドを表すデータを含むことができ、これはすべて知られている方法で行われる。デジタル・データ・ソース（図示せず）は、たとえば、衛星受信器、ケーブル受信器、デジタル・レコーダ再生出力、またはこのような信号を供給するいかなるソースにすることもできる。
【００１０】
入力端子５は、ＭＰＥＧビデオ信号復号器（デコーダ）１０の入力端子に結合される。図１では、入力端子５が、ＭＰＥＧ復号器１０内のデータ・ストリーム・セレクタ（選択器）９８の入力端子に結合される。セレクタ９８の出力端子が、可変長コード・ワード復号器（デコーダ）（ＶＬＤ）１００の入力端子に結合される。ＶＬＤ１００の第１の出力端子が部分解像度復号器（デコーダ）１０２に結合される。ＶＬＤ１００の第２の出力端子が、全解像度復号器（デコーダ）１０４の入力端子に結合される。部分解像度復号器１０２および全解像度復号器１０４の各出力端子が、スイッチング回路１０６の対応する入力端子に結合される。スイッチング回路１０６の第１の出力端子が、表示デバイス１０８に結合される。表示デバイス１０８はテレビ受信器において統合され、高品位（HD）ビデオ・イメージを表示することができる。サンプル・レート・コンバータ（図示せず）がＨＤＴＶ表示デバイス１０８のための高品位テレビ信号を生成するために必要とされる可能性があることは、当業者には理解されよう。また、スイッチング回路１０６のこの出力端子をテレビ受信器の出力端子に結合することもでき、したがって、スタンドアロン・ビデオ・モニタなど、テレビ受信器の外部の装置で使用可能にすることができることも、当業者には理解されよう。
【００１１】
スイッチング回路１０６の第２の出力端子が、サンプル・レート・コンバータ１１０に結合される。サンプル・レート・コンバータ１１０の出力端子は、標準ＶＣＲ上に記録されるために適切な低解像度ビデオ信号を生成し、出力端子１５に結合される。図１では、この信号はＮＴＳＣフォーマットのテレビ信号であるが、ＰＡＬまたはＳＥＣＡＭなど、他のフォーマットまたはこのような他のいかなるフォーマットも使用することができる。出力端子１５をＶＣＲ（図示せず）に接続することができ、これはスキャン・レート・コンバータ１１０によって生成された信号を記録することができる。
【００１２】
コントローラ１１２は、ＭＰＥＧビデオ復号器１０、スイッチング回路１０６およびサンプル・レート・コンバータ１１０の対応するコントロール入力端子に結合された、各コントロール出力端子を有する。具体的には、コントローラ１１２は、これらの要素内の内部回路のためのコントロール信号を生成し、これは、ＭＰＥＧビデオ復号器１０におけるデータ・ストリーム・セレクタ９８、ＶＬＤ１００、部分解像度復号器１０２および全解像度復号器１０４のためのものなどである。他のコントロール信号をコントローラ１１２によって生成し、図示した実施形態において、他の図示しない回路に、すべて知られている方法で供給することができる。コントローラ１１２はビデオ・イメージ信号を生成することもでき、これらのイメージ信号を、スイッチング回路１０６を介して、表示デバイス１０８に結合することもできる。たとえば、このようなイメージは、オンスクリーン・ディスプレイ（ＯＳＤ）を表すことができ、これは、情報をユーザに提示し、かつユーザから戻されるコマンド情報を要求するためのものであり、これらはすべて知られている方法で行われる。ユーザ入力端子２５は、ユーザ・コマンド・データを表すデータを受信する。ユーザ入力端子２５をテレビ受信器上のコントロール・パネル（図示せず）に結合することができ、これは、たとえば、コントロール情報を入力するためのボタンを含む。ユーザ入力端子２５を受信器（図示せず）に結合することもでき、これはデータをリモート・コントロール・デバイス（これも図示せず）から受信するためのものであり、場合によっては受信器コントロール・パネル（ある場合）上のものに類似して、コントロール情報を入力するためのボタンも含み、ユーザによって、受信器から部屋を横切るなど、リモートの場所から操作することができ、これらはすべて知られている方法で行われる。
【００１３】
動作においては、ＭＰＥＧ復号器１０が時分割された方法で、入力端子５でＭＰＥＧデジタル・データからの複数のビデオ・データ・ストリームを同時に復号するように動作し、これらはコントローラ１１２からのコントロール信号に応答して選択された、各ビデオ信号を表す。具体的には、セレクタ９８が、選択されたデータ・ストリームをデジタル・データから抽出し、かつこれらのデータ・ストリームのみを可変長コード・ワード復号器１００に提供するように動作する。これらのデータ・ストリームにおけるデータは、連続した可変長コード・ワードを含む。知られているように、コード・ワードは特に、空間符号化された離散コサイン変換（ＤＣＴ）マクロ・ブロックの係数を表し、それぞれが、そのデータ・ストリームによって表されたイメージの小さいブロックを表す。知られているＭＰＥＧ実施形態では、最大６４個の係数が各マクロ・ブロックを表す。ＶＬＤ１００は、ＤＣＴ係数の各ストリームを、選択されたデータ・ストリームから生成する。選択されたデータ・ストリームのうち１つに関係付けられたＤＣＴ係数が全解像度復号器１０４に供給され、選択されたデータ・ストリームのうち別のものに関係付けられたＤＣＴ係数が部分解像度復号器１０２に供給され、これはコントローラ１１２からのコントローラ信号に応答して行われる。全解像度復号器１０４はこれらのすべての６４個の係数コード・ワードを処理して、イメージを表すビデオ信号を再生成する。この結果は、最大の品質を有するビデオ信号となる。しかし、部分解像度復号器１０２はこれらの６４個の係数コード・ワードのうちわずかのみを処理する。たとえば、知られている実施形態では、６４個の係数のうち６個のみが処理されて、イメージにおける各マクロ・ブロックが再生成される。この結果は、受信器に送信された情報のいくつかが欠けているイメージとなる。送信された情報は、再生されたイメージから欠けているので、アーティファクトがイメージ内に存在する可能性があり、これらのアーティファクトは可視の好ましくない可能性がある。
【００１４】
スイッチング回路１０６は、ＭＰＥＧ復号器１０の、全解像度復号器１０４および部分解像度復号器１０２からの各出力端子をそれぞれ、表示デバイス１０８またはサンプル・レート・コンバータ１１０のいずれかに、コントローラ１１２からのコントロール信号に応答して結合する。表示デバイス１０８は、その入力端子に結合されたビデオ信号によって表されたイメージを、知られている方法で表示する。サンプル・レート・コンバータ１１０がデータをその入力端子で、ＮＴＳＣフォーマットの信号など、低解像度フォーマットのビデオ信号に変換し、この信号を出力端子１５に、知られている方法で供給する。
【００１５】
コントローラ１１２はプロセッサ（図示せず）を含み、これは知られている方法で、ソフトウェア・プログラムに従って動作する。コントローラ１１２は、コマンドをユーザ入力端子２５から受信し、かつ適切なコントロール信号を生成して、それが結合される先の様々な回路を所望の状態に構成するようにプログラムされる。コントローラ１１２はさらに、表示デバイス１０８上に表示されるべきＯＳＤを表す信号を生成するように動作し、これらはすべて、以下でより詳細に記載する方法で行われる。
【００１６】
図１において例示したシステムは、高解像度ビデオ出力信号（アナログまたはデジタル）を、スイッチング回路１０６の１つの出力端子でサポートし、同時に、低解像度出力ビデオ信号を、ＮＴＳＣ互換デバイス上に表示／記録するために、サンプル・レート・コンバータ１１０の出力端子で提供する。２つの出力パスは独立しており、そのため、低解像度出力端子でのビデオ信号を、高解像度出力端子でのビデオ信号のリサンプリングされたバージョンにすることは必要とされない。すなわち、スイッチング回路１０６は、いかなる復号された映像をも、全解像度復号器１０４および部分解像度復号器１０２から、２つの出力端子のいずれかにルーティングすることができる。
【００１７】
ＭＰＥＧビデオ復号器１０は、毎秒復号することができるマクロ・ブロックの合計数に基づいて記載可能な、動作上の制限された帯域幅を有する。この帯域幅は、ＭＰＥＧビデオ復号器１０が効果的にいくつかのソース・ピクチャの間で時分割されるような方法で、選択されたデータ・ストリームに割り当てられる。このＭＰＥＧビデオ復号器１０は、さらに、知られている表示処理（図示せず）を含み、これにより、すべての復号された映像の独立したスケーリング（scaling）およびオーバーレイが可能となる。この表示処理が使用されて、マルチピクチャ表示モードが容易にされ、これはＰＩＰ、ＰＯＰおよびＰＩＧ（ピクチャ・イン・ピクチャ、ピクチャ・アウトサイド・ピクチャ（picture outside picture）、およびピクチャ・イン・グラフィック（picture in graphic））など、サブ・イメージを含む。
【００１８】
図１に例示したテレビ受信器からの低解像度出力端子１５が使用されて、デジタル・ソース素材のＮＴＳＣ記録がサポートされることが予想される。現在のＶＣＲは多数のビデオ入力端子を有することができる。ユーザは通常、ＶＣＲにおけるメニュー・システムをナビゲートして、ビデオ入力端子のうち１つを記録用に選択する。しかし、図１に例示したようなデジタル・システムでは、所望のビデオ信号が通常、複数のＭＰＥＧ符号化されたデジタル・データ・ストリームのうち１つによって搬送され、アナログ・ビデオ・レコーダに出力される前に抽出かつ復号されなければならない。このように、ＶＣＲ上に記録するための信号を選択するプロセスの一部が、デジタル・テレビ受信器自体内に位置しなければならない。したがって、テレビ受信器はユーザ・インターフェースも含んで、ユーザが、受信器に供給されたビデオ信号の範囲の中から、記録出力端子１５に、かつしたがってＶＣＲの記録入力端子に向けて送ることができるものをナビゲートおよび選択できるようにしなければならない。この応用例の残りは、テレビ受信器におけるユーザ・インターフェースを記載する。
【００１９】
図２ａ、図３ａ、図３ｂ、図４ａ、図４ｂ、図４ｃ、図４ｄ、図５ａ、図５ｂ、図６ａ、図６ｂおよび図６ｃは、図１において例示したテレビ受信器における表示デバイス１０８上に表示することができる、テレビ・ビデオ・イメージの図であり、図２ｂは、図１において例示したテレビ受信器と共に使用することができる、リモート・コントロール・デバイス１３０のレイアウトの図である。図２ａを参照すると、いくつかの条件下で、表示デバイス１０８上に表示されたイメージ１２０がコントローラ１１２（図１）によって制御され、バナー表示１２２が含められ、これは表示スクリーン１０８の一端、通常は最上部に沿ったオーバーレイを意味し、これは知られている方法で行われる。例示した実施形態では、バナー表示１２２が、現在表示中の番組の時間、日付およびタイトルを含む。バナー表示１２２のいくつかの構成では、「高速記録」アイコン１２４も表示することができる。再度図１を参照すると、コントローラ１１２がユーザ入力端子２５を監視してユーザ・コマンドを検出し、これも知られている方法で行われる。
【００２０】
ユーザは記録メニュー・システムをテレビ受信器において呼び出すことができ、これは「高速記録」アイコン１２４を表示バナー１２２から、たとえば、テレビ受信器上のコントロール・パネルまたはリモート・コントロール１３０を使用して、強調表示かつ選択することによって行う。リモート・コントロール１３０上でこれを行うには、ユーザがリモート・コントロール１３０上の方向ボタン１３２を、「高速記録」アイコン１２４が強調表示されるまで押し、次いで選択ボタン１３４を押す。別法として、ユーザが記録メニュー・システムを、リモート・コントロール１３０上の「記録」ボタン１３６を押すことによって呼び出すことができる。ユーザはまた記録メニュー・システムを、受信器を介して番組ガイド・メニュー・システムを、以下でより詳細に記載する方法で操作することによって、呼び出すこともできる。
【００２１】
記録メニューがこれらの方法のいずれかによって呼び出されたとき、システムは最初は、ユーザが、表示デバイス１０８上に現在表示中の番組のうち１つを記録することを望んでいると仮定する。１つの番組のみが現在スクリーン上に表示中である場合、記録動作がこの番組について開始する。スイッチング回路１０６がコントローラ１１２によって、表示デバイス１０８に供給中のビデオ信号をサンプル・レート・コンバータ１１０にも結合するようにされる。サンプル・レート・コンバータ１１０は信号をＮＴＳＣ信号に変換し、これが記録出力端子１５に供給される。したがって、現在表示された映像は、ＮＴＳＣ出力のためにフォーマットされる。加えて、可能であるとき、ビデオ・レコーダには、テレビ受信器によって、ＶＣＲリモート・コントロール・リンクを介して記録を開始するように信号が送られる。表示デバイス１０８に供給されたビデオ信号は、全解像度で復号器１０４によって復号されることが予想される。しかし、表示デバイス１０８に供給中の信号を高品位または標準品位ビデオ信号のいずれにすることもでき、これを全解像度で全解像度復号器１０４によって、あるいは部分解像度で部分解像度復号器１０２によって復号できることは、当業者には理解されよう。
【００２２】
図２ａでは、第２のイメージ１２１がＰＩＰフォーマットによるものであり、これが表示デバイス１０８の左下隅におけるファントムにおいて例示される。複数のこのような映像を、表示デバイス１０８上に表示されたイメージにおいて含めることができる。たとえば、メイン・イメージ１２０およびＰＩＰ１２１など、複数の番組イメージが現在表示デバイス１０８上で表示されている場合、記録メニュー・システムが上述の方法で呼び出されたとき、表示デバイス１０８上のビジュアル・キューが、表示された番組イメージ（１２０、１２１）のうち１つを強調表示し、ユーザにどの番組が記録されるかを通知するためのグラフィックが作成される。次いで、ユーザが、記録動作を確認あるいはキャンセルすることができる。たとえば、図３ａでは、肉太の黒いボックス１２６ａがメイン番組ビデオ・イメージ１２０の周囲に表示されて、それが記録出力端子１５のための現在の選択であることが指示される。確認ボックス１２８ａのオンスクリーン・ディスプレイがコントローラ１１２（図１）によって生成され、これも表示デバイス１０８上に表示される。例示した実施形態では、この確認ボックス１２８ａが、メイン・イメージ１２０の番組のチャンネル番号、番組タイトルおよび簡単な説明を含む。確認ボックス１２８ａのＯＫボタンが押し下げられたように表示され、これは、それが確認ボックス１２８ａのためのデフォルト選択であることを指示するためである。すなわち、ユーザが選択ボタン１３４をリモート・コントロール１３０上で押したとき、デフォルト選択が活性化される。ユーザが選択ボタン１３４をリモート・コントロール１３０上で押し、ＯＫボタンを活性化し、したがって、記録用のこの選択を確認した場合、メイン・イメージ１２０を表すビデオ信号がサンプル・レート・コンバータ１１０に供給され、記録が開始する。
【００２３】
ユーザがメイン番組ビデオ・イメージ１２０において表示されたビデオを記録することを望まなかった場合、リモート・コントロール１３０上の方向キー１３２を押すことができる。これによりコントローラ１１２に、矢印ボタンをデフォルト選択にするようにさせ、かつその矢印ボタンを押し下げられたように表示させる（図示しないが、確認ボックス１２８ａにおいて例示した、押し下げられたＯＫボタンに類似する）。これは、異なる番組が記録用に望まれることを指示する。次いで、リモート・コントロール１３０上の選択ボタン１３４が押された場合、表示デバイス１０８上に現在表示中の次の番組が強調表示される。図３ｂにおいて例示したように、ＰＩＰイメージ１２１が選択され、肉太の黒いボックス１２６ｂがＰＩＰイメージ１２１の周囲に表示される。図３ａに類似して、確認ボックス１２８ｂが表示され、これは、ＰＩＰイメージ１２１の番組のチャンネル番号、番組タイトルおよび短い説明を含む。ユーザが、ＰＩＰイメージ１２１の番組が記録されるべきであると確認することを望んだ場合、リモート・コントロール１３０上の方向キー１３２が再度押される。コントローラ１１２はこれに応答し、ＯＫボタンをデフォルト選択として、ＯＫボタンが押し下げられた確認ボックス１２８ｂを、例示したように生成する。ユーザが選択ボタン１３４をリモート・コントロール１３０上で押し、ＯＫボタンを活性化し、記録用のこの選択を確認した場合、ＰＩＰイメージ１２１を表すビデオ信号がサンプル・レート・コンバータ１１０に供給され、記録が開始する。他方では、さらにもう１つの表示された番組（図３において例示しない）が望まれた場合、確認ボックス１２８ｂ上の矢印ボタンを再度活性化することができ、これは選択ボタン１３４をリモート・コントロール１３０上で、所望の番組が強調表示されるまで押すことによって行う。次いで、ＯＫボタンが上述のように活性化され、選択された番組の記録が開始される。
【００２４】
表示された番組の間でナビゲートする順序は柔軟にすることができ、テレビ受信器における他のメニュー動作に適合し、かつユーザが容易に理解することができる方法で選択することができる。たとえば、ビデオ・ウィンドウを順番に、スクリーンの上から下へ、かつ左から右へナビゲートすることができる。各ビデオ・ウィンドウの左上隅を、表示されたウィンドウについての選択指示を作成するときに、その基準点として使用することができる。２つ以上のウィンドウが同じ基準点を有した場合、これらのウィンドウは、それらのオーバーレイにおける積み重ねに従って上から下への順序において選択される。より洗練されたコントローラ１１２およびリモート・コントロール１３０の組み合わせを有するシステムでは、ユーザが直接、表示された番組のどれが記録されるべきであるかを、たとえば数字ボタン１３５を押すことによって指示することを可能とする。
【００２５】
知られているコピー世代管理システム（Copy Generation Management System）（ＣＧＭＳ）マーカが、受信された番組のいくつかにおいて存在する可能性があることは、当業者には理解されよう。これらのマーカは、テレビ受信器において知られている回路（図示せず）によって検出かつ認識される。コントローラ１１２は、ステータス信号（図示せず）を検出および認識回路から受信し、このようなマーカが表示された番組において存在していることを指示し、その指示により、番組が記録用に使用可能でないことを指示する。記録メニュー・システムにおいて、グラフィカルおよび／またはテキスト・キューが使用されて、記録用に使用可能でないとしてこのようなマーカによってマークされるこれらの番組が指示される。たとえば、選択をある表示された番組から別のものへ、確認ボックス（１２８ａ、１２８ｂ）上の矢印ボタンを活性化することによって移動するとき、記録用に使用可能でないこれらの番組は自動的にスキップされる。しかし、いくつかのシステムでは、記録用の番組ウィンドウの直接選択を、たとえば、リモート・コントロール１３０上の数字ボタン１３５を押すことによって可能性とする。この場合、記録用に使用可能でない番組を選択しようとする試みが、オンスクリーンのメッセージについての表示を誘発する。この表示は、形式において、番組を記録することができないことを説明する確認ボックス１２８ａおよび１２８ｂに類似する。
【００２６】
選択された記録番組が標準品位テレビ信号、すなわちＭＰＥＧメイン・プロファイル、メイン・レベルまたはそれ未満であった場合、ＭＰＥＧ復号器１０がコントローラ１１２によって、記録番組を全解像度で復号するようにされ、これは、同時に標準品位および高品位テレビ番組（たとえば、表示デバイス１０８用）を全解像度で復号するために十分な復号器１０の帯域幅があるからである。しかし、選択された記録番組が高品位テレビ信号であった場合、ＭＰＥＧ復号器１０は、選択された記録番組および別の高品位テレビ番組を同時に全解像度で復号するための十分な帯域幅を持たない。通常、この記録番組は部分解像度で復号される。しかし、いくつかの場合、ユーザが番組をＮＴＳＣ解像度で、アーティファクトが部分解像度復号器１０２によって導入されることなく記録することを望む。図４を参照すると、選択された記録番組が高品位テレビ信号であった場合、コントローラ１１２がＯＳＤを、知られている方法で生成し、これにおいて、ユーザには、記録番組を、全解像度復号器１０４を使用して復号するか、部分解像度復号器１０２を使用して復号するかの間で選択するように、図４ａに例示するようにプロンプト表示される。ユーザが全解像度復号器１０４を選択した場合、ユーザには、記録の進行中の間に別の高品位番組を復号かつ表示することが可能ではない（ＭＰＥＧビデオ復号器１０における帯域幅が不十分であるため）ことが、図４ｂに例示するように通知される。ユーザが部分解像度復号器１０２を選択した場合、ユーザには、記録の進行中の間に他の何の番組を復号かつ表示することができるかにおいて制限がないことが、図４ｃに例示するように通知される。すべての適切な選択がユーザによって行われると、選択された番組は、選択された方法で復号され、開始される。
【００２７】
図５ａを参照すると、選択された番組の記録が開始された後、ユーザには、ユーザがこの番組をスケジュールにしたがって記録することを望むかどうかが尋ねられる。例示した実施形態では、コントローラ１１２がＯＳＤバナー１４２をスクリーンの底部に生成し、これが、ユーザに、この番組を記録スケジュールに追加するには「選択」を押すように求める。図５ｂを参照すると、ユーザが選択ボタン１３４をリモート・コントロール１３０上で押した場合、記録スケジュール・メニュー１４４がコントローラ１１２のコントロール下で表示される。選択された番組についてわかっている情報に基づいて満たすことができるこれらのフィールドは、適切なデータがすでに入力されて表示される。カーソルがフィールドに配置され、これによりユーザが記録イベントの頻度を選択することができる。次いで、ユーザが所望の情報を、リモート・コントロール１３０を使用して、知られている方法で入力することができる。コントローラ１１２がこの情報を受信し、ユーザにより入力された情報を含む、適切なスケジュール・エントリーを生成する。
【００２８】
上述のように、高品位テレビ番組が全解像度で記録のために復号中である場合、ユーザは、表示デバイス１０８上で視聴するためのみの標準品位テレビ番組に制限される。この制限を、異なる方法で実施することができる。１つの単純な手法は、コントローラ１１２が表示デバイス１０８に、高品位テレビ番組を表示デバイス１０８上で表示しようとする試みが行われたときに黒いスクリーンを表示させることである。コントローラ１１２はさらにＯＳＤを生成することができ、このＯＳＤは、黒いスクリーンの上にオーバーレイされ、ユーザに、記録の進行中の間には要求された番組が使用可能でないことを通知するメッセージを有する。ＯＳＤは、また単にユーザに、記録セッションを終了し、かつチャンネルを変更して所望の番組を表示デバイス１０８（図示せず）上で表示するためのオプションを与えることもできる。別法として、ＯＳＤがユーザに、記録番組の部分解像度復号に切り替えることによって記録セッションを継続するオプションを与えることができ、チャンネルを変更して所望の番組を表示デバイス１０８上に表示するか、あるいは記録セッションを継続してチャンネル変更要求を無視することが、図４ｄにおいて例示するように、できる。図４ｄを参照すると、このような状況において選択ボタン１３４を押すことにより、コントローラ１１２に図４ｃに例示した確認ボックスを表示させる、ことになる。この確認ボックスにより、ユーザが表示用のチャンネル変更および記録番組用の解像度変更を確認あるいはキャンセルすることができるようになり、これは方向ボタン１３２および選択ボタン１３４を上述の方法で適切に押すことによって行われる。別法として、ユーザが方向ボタン１３２および選択ボタン１３４を操作して、高解像度の記録を継続し、かつチャンネル変更を無視することができる。これに応答して、コントローラ１１２は、図４ｂに例示した確認ボックスを表示し、これにより再度ユーザが、記録セッションを確認あるいはキャンセルすることができるようになり、これは方向ボタン１３２および選択ボタン１３４を適切に押すことによって行われる。
【００２９】
上述のＭＰＥＧビデオ復号器１０の制限を実施するためのもう１つの手法は、コントローラ１１２が、この応用例においてインテリジェント・チャンネル・スキャンと呼ばれるものを実施することである。記録出力端子１５のビデオ信号が、高品位テレビ信号から、全解像度復号器１０４を使用して生成されているとき、コントローラ１１２が番組ガイド・リスト（図６ａ）を生成し、そこから、高品位テレビ素材を放送するすべての他のチャンネルが自動的に除去される。ユーザによる、高品位テレビ信号を搬送するチャンネルについて、チャンネル番号を、たとえばリモート・コントロール１３０上の数字キー１３５を使用して直接入力しようとする試みは、コントローラ１１２によって検出され、これが上述の、記録の進行中の間には要求されたチャンネルが使用可能でないことを説明するＯＳＤ（図４ｂ、図４ｃおよび図４ｄ）を黒いスクリーンの上に生成する。次いで、同じオプションが、記録動作をキャンセルするために提示される。
【００３０】
記録用に選択された高品位テレビ番組が先に未来の時間についてスケジュールされていた場合（図５および関連する記載を参照）、スケジュールされた記録開始時間が来るまで、第２の高品位テレビ番組を全解像度復号器１０４によって復号し、かつ表示デバイス１０８上に表示することができる。しかし、視聴中の高品位テレビ番組の終了時間が、スケジュールされた記録番組のための記録開始時間に重なり合う場合、コントローラ１１２が、たとえば、表示デバイス１０８のスクリーンの底部に渡って、知られている方法で表示される警告バナー（１４２に類似したもの）であって、スケジュールされた記録が開始した後にこの番組の視聴を継続することが可能でなくなると述べる警告バナーを生成する。現在表示されている番組が高品位テレビ番組であり、全解像度において復号器１０４を使用して復号中であり、その終了時間についての情報を有しない場合、コントローラ１１２がこのような警告バナーを自動的に生成する。コントローラ１１２は、ユーザがそのチャンネルを表示デバイス１０８上に表示したあとにのみ、警告バナーを、ある最小期間に渡って、表示することがさらに可能である。コントローラは、表示デバイス１０８からバナーを、およそ数秒の短い時間後に、あるいはユーザがクリア・ボタン（図示せず）をリモート・コントロール１３０上で押すことに応答して、除去することがさらに可能である。加えて、コントローラ１１２は警告メッセージを表示デバイス１０８の右上隅に、記録の開始前に、たとえば、記録の開始時間の約１分前に表示することができる。この表示されたメッセージはまたユーザに、記録メニューに入力し、かつスケジュールされた記録を差し替えるための機会も提供する。
【００３１】
ユーザは、いつでも、記録メニュー・システムに入り、スケジュールされた記録イベントを作成、修正あるいは消去するための機会を有する。このメニューは、ＴＶメイン・メニューを介してアクセスされ、そして、リモート・コントロール１３０上のメニュー・ボタン１３８を押すことによってアクセスされる。コントローラ１１２は、メニュー・ボタン１３８の押し下げを検出することに応答して、いくつかのエントリを有するメニューを表示デバイス１０８上に、知られている方法で表示する。これらのエントリのうち１つが「スケジュール」となる。方向ボタン１３２および選択ボタン１３４を適切に押すことによって、コントローラ１１２は、類似の方法で、いくつかのエントリを有する「スケジュール」メニューを表示する。これらのエントリのうち１つが「記録」となる。再度、方向ボタン１３２および選択ボタン１３４を適切に押すことによって、コントローラ１１２は記録スケジューリング表示を表示する。これは、図５ｂに例示した記録スケジューリング表示１４４に、類似している。プロンプトに応答して適切な情報を入力することによって、すべて知られている方法で、番組を将来の記録用にスケジュールすることができる。
【００３２】
上述のように、入力端子５でのデジタル・データにおける１つまたは複数のデータ・ストリームは、番組ガイド情報を搬送することができ、これは、デジタル・データにおいて存在するすべての番組のチャンネル番号、開始および終了時間（または持続時間）、名前および簡単な説明を含む。図１を参照すると、この情報をセレクタ９８によって抽出することができ、これらのデータ・ストリームにおけるデータがコントローラ１１２に提供される。図６ａを参照すると、このデータをコントローラ１１２によって処理して、この情報のテーブル表示を生成することができる。ユーザがコントローラ１１２に、このテーブルを表示デバイス１０８上に表示させることができ、次いで、視聴あるいは記録するための番組を、表示デバイス１０８上に表示されたテーブルにおける情報から、リモート・コントロール１３０上の方向キーおよび選択キーを操作することによって選択することができ、これらはすべて知られている方法で行われる。図６ａでは、テレビ番組「Ｓｉｘ  Ｍｉｌｌｉｏｎ  Ｄｏｌｌａｒ  Ｍａｎ」がユーザによって選択されており、強調表示されて現れている。図６ａでは、エントリが、白い背景を有することによって強調表示される。いかなる強調表示の方法も使用できることは、当業者には理解されよう。
【００３３】
記録メニューを直接番組ガイド表示から、上述のように方向ボタン１３２を使用して番組を選択すること、および、次いで記録ボタン１３６をリモート・コントロール１３０上で押すことによって、呼び出すことができる。上述のように、番組が記録用に選択されたとき、コントローラ１１２が、確認を求めるＯＳＤを、図４ａ、図４ｂおよび／または図４ｃに例示したように生成する。図４ｄに例示したように、記録用に選択される番組がある将来の時間に発生するようにスケジュールされた際、番組が全解像度（１０４）復号器を使用して記録されるか、部分解像度（１０２）復号器を使用して記録されるかを、ユーザが選択する必要があり得る。例示したシステムは、異なるオン・スクリーンの番組ガイド・データ・ストリームをサポートする。いくつかの番組ガイドは、番組の品位についての情報、すなわち、標準品位対高品位を提供する。番組ガイドが、選択された記録番組が高品位テレビ番組であると指示した場合、ユーザには直ちに、記録の解像度について、上で詳細に記載したようにプロンプト表示される。
【００３４】
上述のユーザ・インターフェース・システムは、高品位テレビ（ＨＤＴＶ）および標準品位ビデオ信号を搬送し、かつ復号器の最大帯域幅を条件として、複数のチャンネルを同時に復号することができるある帯域幅を有する復号器を含み、テレビ番組配信システムにおける使用を目的として意図されている。詳細には、ユーザが、このような配信システムに、番組を標準品位媒体（たとえば、ＶＨＳテーブ）上に記録するように命令した場合、かつ、システムが、２つの高品位フォーマットの番組のうち１つが同時復号のために低減された解像度で復号されることを要求した場合、提案された本発明により、ユーザが記録用の２つのオプションの間で、すなわち、全解像度の復号を記録番組について使用し、かつ同時復号および他のいかなる高品位テレビ番組の表示をも禁ずるか、あるいは、低減された解像度の復号を記録番組について使用し、かつ同時復号および他の高品位テレビ番組の表示を許可するかのいずれかを、選択することができる。
【図面の簡単な説明】
【図１】  本発明の原理によるＨＤＴＶ受信器の一部のブロック図である。
【図２ａ】  図１において例示したテレビ受信器における表示デバイス上に表示することができるテレビ・ビデオ・イメージの図である。
【図２ｂ】  図１において例示したテレビ受信器と共に使用することができる、リモート・コントロール・デバイスのレイアウトの図である。
【図３ａ】  図１において例示したテレビ受信器における表示デバイス上に表示することができるテレビ・ビデオ・イメージの図である。
【図３ｂ】  図１において例示したテレビ受信器における表示デバイス上に表示することができるテレビ・ビデオ・イメージの図である。
【図４ａ】  図１において例示したテレビ受信器における表示デバイス上に表示することができるテレビ・ビデオ・イメージの図である。
【図４ｂ】  図１において例示したテレビ受信器における表示デバイス上に表示することができるテレビ・ビデオ・イメージの図である。
【図４ｃ】  図１において例示したテレビ受信器における表示デバイス上に表示することができるテレビ・ビデオ・イメージの図である。
【図４ｄ】  図１において例示したテレビ受信器における表示デバイス上に表示することができるテレビ・ビデオ・イメージの図である。
【図５ａ】  図１において例示したテレビ受信器における表示デバイス上に表示することができる、テレビ・ビデオ・イメージの図である。
【図５ｂ】  図１において例示したテレビ受信器における表示デバイス上に表示することができる、テレビ・ビデオ・イメージの図である。
【図６ａ】  図１において例示したテレビ受信器における表示デバイス上に表示することができる、テレビ・ビデオ・イメージの図である。
【図６ｂ】  図１において例示したテレビ受信器における表示デバイス上に表示することができる、テレビ・ビデオ・イメージの図である。
【図６ｃ】  図１において例示したテレビ受信器における表示デバイス上に表示することができる、テレビ・ビデオ・イメージの図である。
【図１】
0004723145.tif 000002
【図２ａ】
0004723145.tif 000003
【図２ｂ】
0004723145.tif 000004
【図３ａ】
0004723145.tif 000005
【図３ｂ】
0004723145.tif 000006
【図４ａ】
0004723145.tif 000007
【図４ｂ】
0004723145.tif 000008
【図４ｃ】
0004723145.tif 000009
【図４ｄ】
0004723145.tif 000010
【図５ａ】
0004723145.tif 000011
【図５ｂ】
0004723145.tif 000012
【図６ａ】
0004723145.tif 000013
【図６ｂ】
0004723145.tif 000014
【図６ｃ】
0004723145.tif 000015